(57)【要約】【課題】ＩＤカードの記憶媒体内に多機能性の発揮に十分なデータを収録し、多様な命令に対応できるプログラムを内蔵しうる容量を有するＩＤカード、カード発行装置、及びカード発行方法を提供すること。【解決手段】内蔵した消去及び再書き込み可能な記憶手段に収録せしめた初期化フォーマット制御プログラムを、初期化フォーマットの完了後に消去し、消去した記憶部の領域をデータ領域として使用できる構成としたことを特徴とするＩＤカード、該ＩＤカードに対する情報等の書き込み、読み出し、及び消去を行うリーダライタ装置を有するＩＤカード発行装置、及び、前記ＩＤカードと前記ＩＤカード発行装置とからなるＩＤカード発行方法。【選択図】        図４
2004178373.tif 000002
【特許請求の範囲】
【請求項１】
データ及びプログラムを内蔵する記憶手段を有するＩＤカードであって、
該記憶手段には該ＩＤカードの初期化フォーマットを実行するプログラムが収録され、該プログラムによる初期化フォーマットが完了したとき、該記憶手段より該プログラムが削除されるように構成したことを特徴とするＩＤカード。
【請求項２】
前記プログラムがデータの消去機能及び再書込機能を有する記憶手段に収録されていることを特徴とする請求項１に記載のＩＤカード。
【請求項３】
前記記憶手段が電気消去型プログラマブルロム（ＥＥＰＲＯＭ）であることを特徴とする請求項１または２に記載のＩＤカード。
【請求項４】
装置全体を制御するカード発行装置制御部、装置の状態や各種情報を表示する表示部、各種情報の入力や動作の指示を行う入力部、ＩＤカードに書き込むべきカード被発行者に関する情報を記憶する記憶部、ＩＤカードの発行に関する情報等を印刷するプリンタ、及び、ＩＤカードに対する情報の書き込み、読み出し、及び消去を行うリーダライタ装置、を有するＩＤカード発行装置において、
前記ＩＤカードはデータ及びプログラムを内蔵する記憶手段を有し、該記憶手段には該ＩＤカードの初期化フォーマットを実行するプログラムが収録されており、該プログラムによる初期化フォーマットが完了したとき、前記カード発行装置制御部からの指令により、前記記憶手段に内蔵された前記プログラムが削除されるように構成されていることを特徴とするＩＤカード発行装置。
【請求項５】
装置全体を制御するカード発行装置制御部、装置の状態や各種情報を表示する表示部、各種情報の入力や動作の指示を行う入力部、ＩＤカードに書き込むべきカード被発行者に関する情報を記憶する記憶部、ＩＤカードの発行に関する情報等を印刷するプリンタ、及び、ＩＤカードに対する情報等の書き込み、読み出し、及び消去を行うリーダライタ装置、を有するＩＤカード発行装置と、
データ及びプログラムを内蔵する記憶手段を有し、該記憶手段には該ＩＤカードの初期化フォーマットを実行するプログラムが収録されており、該プログラムによる初期化フォーマットが完了したとき、前記カード発行装置制御部からの指令により、前記記憶手段に内蔵された前記プログラムが削除されるように構成されたＩＤカードと、によってＩＤカードが発行されることを特徴とするＩＤカード発行方法。
【発明の詳細な説明】
【０００１】
【発明の属する技術分野】
本発明は、会員証、従業員証、学生証、資格証、クレジットカード、キャッシュカード等のＩＤカード、カード発行装置、及びカード発行方法に関する。
【０００２】
【従来の技術】
社員証や学生証、或いは身分証明書として使用されるＩＤカードには、カード上に住所や氏名、生年月日、所属といった個人情報と顔画像データとが出力されている。近年、このようなＩＤカード用のカードとして、携帯可能な記憶媒体である不揮発性のデータメモリとそれを制御するためのＣＰＵ（セントラル・プロセッシング・ユニット）を有する、ＩＣチップを内蔵したＩＤカード（以下、このカードをＩＣカードとも言う。）が、高度なセキュリティを有することから各方面で広く利用されている。そして、ＩＣチップに、カード上に表示された情報を記録しておくことも行われている。
【０００３】
ＩＣカードに対するデータの授受はリーダライタ装置により行われ、リーダライタ装置からＩＣカードに所定の命令を与えると、この命令はＩＣカード内のＣＰＵにより実行される。たとえば、データの書込命令であれば、リーダライタ装置からＩＣカードに与えたデータをＩＣカード内のメモリに書き込み、データの読出命令であれば、ＩＣカード内のメモリから読み出されたデータをリーダライタ装置に転送して読出しが行われる。
【０００４】
ところで、多機能を有するＩＣカードを実現するためには、カードに収録されるデータ量を多くする必要があり、また、用途の多様化に伴い、リーダライタ装置から与えられる多様化した命令に対応できるようにするため、複雑でかつ容量の大きなプログラムをカードに内蔵させる必要がある。
【０００５】
ところが、ＩＣカードは携帯性に重点が置かれており、物理的な大きさにどうしてもある程度の制限が加えられるために、記憶媒体の容量にもある程度の制限が課せられ、記憶容量を際限なく増大させることはできない。このような状況下で、用途の多様化に対応するためにはＩＣカード内に内蔵させる各々のプログラムに要する容量を少なくしてデータ量を多く確保する必要があり、該プログラムの容量を低減化させる技術がこれまで検討されてきた。
【０００６】
例えば、ＩＣカードに内蔵したプログラムにより行っていた、リーダライタ装置からＩＣカードに与える命令のフォーマットのチェックを、ＩＣカード発行時までにのみ用いる命令のフォーマットはリーダライタ装置で行い、ＩＣカード発行後に用いる命令のフォーマットのみをＩＣカード内でチェックすることで、カード内に収録するプログラムの量を低減化させる技術が開示されている（特許文献１参照）。
【０００７】
【特許文献１】
特許第３１９５１２２号公報（段落０００６）
【０００８】
【発明が解決しようとする課題】
然るに、特許文献１に記載された技術は、ＩＣカードに与えられる命令のフォーマットチェックをＩＣカード発行前に行うものと発行後に行うものとに区分し、発行前に行うフォーマットのチェックをリーダライタで行うようにしたものであるが、ＩＣカードに与えられる命令は、現実にはカード発行前よりもカード発行後に与えられるものの方が遙かに多く、カード発行前に行われるチェック用のプログラムをリーダライタで行うようにしても、リーダライタで行うプログラム分の容量はＩＣカードと比較してそれ程大きなものではなかったので、多くのデータを記憶したり、新たなプログラムを収容するのに十分な容量を確保できるものではなかった。
【０００９】
また、カード発行前に用いられるフォーマットをチェックする機能をリーダライタに付与することは、リーダライタを構成する部品の数を増大させ、構造を複雑化させるので、メンテナンス面やコスト面から好ましくなかった。
【００１０】
本発明は、この様な問題を鑑みてなされたもので、その目的は、ＩＣカードのように携帯性の要求される記録媒体にある程度容量が制限される記憶媒体内にカードとして十分な多機能性を発揮できるだけの十分なデータを収録し、多種多様な命令にも対応できる十分な量のプログラムも内蔵することの可能なＩＤカード、該ＩＤカードを発行する装置であるＩＤカード発行装置（以下、ＩＣカード発行装置とも言う。）、及び該ＩＤカードを発行する方法を示すＩＤカード発行方法（以下、ＩＣカード発行方法とも言う。）を提供することである。
【００１１】
【課題を解決するための手段】
本発明者は、ＩＣカード内に収録されている制御プログラムの中で、初期化フォーマットと呼ばれる、いわゆる生カードという未使用状態のＩＣカードの記憶手段にデータの書き込みを行うことが可能な状態にするフォーマットの作成時のみに使用され、初期化フォーマットが完了するとその後は使用されず不要になる制御プログラム（初期化フォーマット制御プログラム）が存在することに着目した。そして、このフォーマット完了後には不要となる初期化フォーマット制御プログラムをＩＣカード内から消去し、消去した当該プログラムが占有していた領域をデータ収録用の領域に変更することにより、ＩＣチップの容量を大容量化せずに、より多くのデータを収録することが可能なＩＣカードの開発をなしえた。
【００１２】
即ち、本発明に係るＩＣカードでは、初期化フォーマットのみに使用する初期化フォーマット制御プログラムを、消去が可能でしかも再書込の可能なメモリ（記憶媒体）であるＥＥＰＲＯＭに内蔵させておき、初期化フォーマット完了後はこの制御プログラムを消去し、その領域をデータ領域に変更させる機能を付与することにより、本発明の効果を発見するものであることを見出した。
【００１３】
本発明は、以下に記載の構成により達成される。
（１）データ及びプログラムを内蔵する記憶手段を有するＩＤカードであって、
該記憶手段には該ＩＤカードの初期化フォーマットを実行するプログラムが収録され、該プログラムによる初期化フォーマットが完了したとき、該記憶手段より該プログラムが削除されるように構成したことを特徴とするＩＤカード。
【００１４】
（２）前記プログラムがデータの消去機能及び再書込機能を有する記憶手段に収録されていることを特徴とする（１）に記載のＩＤカード。
【００１５】
（３）前記記憶手段が電気消去型プログラマブルロム（ＥＥＰＲＯＭ）であることを特徴とする（１）または（２）に記載のＩＤカード。
【００１６】
（４）装置全体を制御するカード発行装置制御部、装置の状態や各種情報を表示する表示部、各種情報の入力や動作の指示を行う入力部、ＩＤカードに書き込むべきカード被発行者に関する情報を記憶する記憶部、ＩＤカードの発行に関する情報等を印刷するプリンタ、及び、ＩＤカードに対する情報の書き込み、読み出し、及び消去を行うリーダライタ装置、を有するＩＤカード発行装置において、
前記ＩＤカードはデータ及びプログラムを内蔵する記憶手段を有し、該記憶手段には該ＩＤカードの初期化フォーマットを実行するプログラムが収録されており、該プログラムによる初期化フォーマットが完了したとき、前記カード発行装置制御部からの指令により、前記記憶手段に内蔵された前記プログラムが削除されるように構成されていることを特徴とするＩＤカード発行装置。
【００１７】
（５）装置全体を制御するカード発行装置制御部、装置の状態や各種情報を表示する表示部、各種情報の入力や動作の指示を行う入力部、ＩＤカードに書き込むべきカード被発行者に関する情報を記憶する記憶部、ＩＤカードの発行に関する情報等を印刷するプリンタ、及び、ＩＤカードに対する情報等の書き込み、読み出し、及び消去を行うリーダライタ装置、を有するＩＤカード発行装置と、
データ及びプログラムを内蔵する記憶手段を有し、該記憶手段には該ＩＤカードの初期化フォーマットを実行するプログラムが収録されており、該プログラムによる初期化フォーマットが完了したとき、前記カード発行装置制御部からの指令により、前記記憶手段に内蔵された前記プログラムが削除されるように構成されたＩＤカードと、によってＩＤカードが発行されることを特徴とするＩＤカード発行方法。
【００１８】
【発明の実施の形態】
図１は本発明に係るＩＣカード発行装置のハードウェア構成を概略的に示す図である。このＩＣカード発行装置１０は、該ＩＣカード発行装置１０全体を操作・制御するコンピュータ９０、ＩＣカード２０を搭載し該ＩＣカード２０に対する情報等の書き込み、読み出し、及び消去等の指示を行うリーダライタ装置１４、及び、ＩＣカード２０の発行に関する情報等を印刷して出力するプリンタ１５からなる。コンピュータ９０は、ＩＣカード発行装置全体の動作を制御する制御部１８、装置の状態や各種情報を表示する表示部１３、各種情報の入力や動作の指示を行う入力部１２、及び、ＩＣカード２０に書き込むべきカード被発行者に関する情報を記憶する記憶部１８１、等によって構成されている。カード被発行者に関する情報とは、それぞれのカード管理者が各カード被発行者に対して所定のサービスを提供するために必要な情報であり、例えば、カード被発行者の住所、氏名、生年月日、または識別ナンバー等である。
【００１９】
即ち、ＩＣカード発行装置１０は、記憶部１８１にカード被発行者に関する情報等を記憶させておく機能や、ＩＣカード２０に書き込まれた情報をリーダライタ装置１４を介して読み出したり、表示部１３に表示したりする機能等を有して構成されている。
【００２０】
図２は、本発明に係るＩＣカード発行装置の一実施形態としての従業者証発行装置の構成例を示す概念図である。
【００２１】
この従業者証発行装置１００は、コンピュータ９０と、リーダライタ装置１４を内蔵したプリンタ６６とで構成され、該プリンタ６６にはプリンタ制御装置８０が設けられ、このプリンタ制御装置８０には情報読出し手段の一例であるリーダライタ装置１４と画像形成手段５０とが接続されている。リーダライタ装置１４は画像形成手段５０の前段（上流側）に配置される。
【００２２】
ＩＣカード発行方法の一実施形態である従業者証発行方法は従業者証発行装置１００とＩＣカード２０により構成される。リーダライタ装置１４にＩＣカード２０を挿入するとＩＣカード２０内の初期化フォーマット制御プログラムが起動し、リーダライタ装置１４を介してＩＣカード２０のフォーマットの初期化が完了しているかどうかがチェックされ、完了していなければ、ＩＣカード内のＥＥＰＲＯＭに内蔵された初期化フォーマット制御プログラムが起動し初期化フォーマットが行われる。フォーマットの初期化が完了していれば、ＩＣカード内のＲＯＭに内蔵された制御プログラムが起動して初期化フォーマット制御プログラムが消去される。
【００２３】
初期化フォーマットが完了すると、リーダライタ装置１４はＩＣカード２０から発行要求者の個人識別番号ＩＤ、顔画像情報Ｄ１及び文字情報Ｄ２を読み出すようになされる。この場合はＩＣカード２０に既に個人識別番号ＩＤ、顔画像情報Ｄ１及び文字情報Ｄ２等の電子情報内容を記録されていることを前提とする。
【００２４】
この実施形態ではＩＣカード２０から読み出された電子情報ＩＤ＋Ｄ１＋Ｄ２はプリンタ制御装置８０を通じて画像形成手段５０に転送される。もちろん、プリンタ制御装置８０をパスして画像形成手段５０に直接、電子情報ＩＤ＋Ｄ１＋Ｄ２を転送するための専用の信号転送経路を設けてもよい。
【００２５】
この実施の形態では、リーダライタ装置１４にＩＣカード２０が挿入されるとき、ＩＣカード２０には発行要求者の個人識別番号ＩＤを付加した顔画像情報を先に入力して記録しておき、その後に、当該発行要求者の個人識別番号ＩＤを付加した文字情報がＩＣカード２０に記録される。その際、リーダライタ装置１４は、顔画像情報Ｄ１に付加された発行要求者の個人識別番号ＩＤと、文字情報Ｄ２に付加された当該発行要求者の個人識別番号ＩＤとを比較して両方の個人識別番号ＩＤが一致したことを確認してから、文字情報Ｄ２のＩＣカード２０への記録が行われる構成となっている。
【００２６】
もちろん、リーダライタ装置１４は、発行要求者の個人識別番号ＩＤを付加した文字情報Ｄ２を先にＩＣカード２０に記録して置き、当該発行要求者の個人識別番号ＩＤを付加した顔画像情報Ｄ２を後から撮影装置等により入力してＩＣカード２０に記録するという構成にしてもよい。
【００２７】
このときも、リーダライタ装置１４は顔画像情報Ｄ１に付加された発行要求者の個人識別番号ＩＤと、文字情報Ｄ２に付加された当該発行要求者の個人識別番号ＩＤとを比較して両方の個人識別番号ＩＤの一致を確認した後に、顔画像情報Ｄ１をＩＣカード２０に記録するように動作される。プリンタ制御装置８０は当該ＩＣカード２０を検査合格と判別した場合に、画像形成手段５０に画像形成許可信号Ｓ１を出力すると共に、当該ＩＣカード２０を画像形成手段５０へ搬送するという制御を行う。
【００２８】
このリーダライタ装置１４の下流側には画像形成手段５０が配置されており、ＩＣカード２０から読み出された顔画像情報Ｄ１及び文字情報Ｄ２に基づいてカード面に顔画像及び文字画像を形成するようになされる。画像形成手段５０には電子写真方式のカラープリンタ等が使用される。この画像形成手段５０の下流側には被覆保護工程等を設けられ、顔画像等が形成されたＩＣカード２０を被覆保護するようになされる。被覆保護工程ではホットスタンパ等の保護シートコーティング装置が使用される。上記の工程を経て、ＩＣカード２０は従業者証２０ａとなる。
【００２９】
この実施の形態において、カード面に顔画像及び文字画像を形成する際に、ＩＣカード２０から読み出した顔画像情報Ｄ１及び文字情報Ｄ２を使用するようにしたのはＩＣカード２０内の電子部品の書き込み機能や読出し機能の検査を兼ねると共に、ＩＣカード２０内に電気的に記録された発行要求者の顔画像及び文字情報等の電子情報ＩＤ＋Ｄ１＋Ｄ２と、カード面に形成される発行要求者の顔画像及び文字画像等の記載情報内容ＩＤ＋Ｄ１＋Ｄ２とを簡単に一致させることができるからである。
【００３０】
図３は本発明に係るＩＣカードをリーダライタ装置に接続した状態を示すブロック図である。ＩＣカード２０内には、ＣＰＵ、ＲＡＭ、ＲＯＭ、ＥＥＰＲＯＭ、及びＩ／Ｏ装置が内蔵され、ＩＣカード２０はＩ／Ｏ装置を介してリーダライタ装置１４に接続されている。Ｉ／Ｏ装置はリーダライタ装置１４に対してデータの送受を行う機能を有する。ＣＰＵはリーダライタ装置１４から与えられる命令をＩ／Ｏ装置を介して受け取り、実行する。ＲＡＭは揮発性のメモリでＣＰＵのワークエリアとして利用される。ＲＯＭは書き換えができない固定メモリであり、ＣＰＵを動作させる制御プログラムが記録されている。ＥＥＰＲＯＭは書き換えが可能な不揮発性メモリであり、初期化フォーマット制御プログラム等、ＩＣカード２０を使用する際に必要な情報が記録されている。
【００３１】
図４は本発明の実施の形態に係るＩＣカードフォーマットの初期化の前後におけるＥＥＰＲＯＭに記録された情報の内訳を示す模式図であり、図４（ａ）はＩＣカードフォーマットの初期化前の状態を示し、図４（ｂ）は初期化後の状態を示す。
【００３２】
図４（ａ）に示すように、ＩＣカードフォーマットの初期化前のＥＥＰＲＯＭには、ファイル作成処理やディレクトリ作成処理といった初期化フォーマットを制御する初期化フォーマット制御プログラム、該初期化フォーマット制御プログラムを消去したかどうかを示す消去済み情報、及び、初期化したときに作成されるフォーマット情報等の記録された領域があり、それ以外の領域が使用可能なデータ領域となっている。図４（ｂ）では、ＩＣカードフォーマットの初期化が終了し、ＲＯＭの制御プログラムが起動してＥＥＰＲＯＭの初期化フォーマット制御プログラムを消去した状態が示され、該初期化フォーマット制御プログラムを消去した容量分が使用可能なデータ領域として増加していることが解る。該初期化フォーマット制御プログラム消去後のＥＥＰＲＯＭの消去済み情報の領域には「消去済み」の情報が記憶される。
【００３３】
図５は本発明の実施の形態に係るＩＣカードの初期化フォーマットを実施する際のフローチャートである。先ず、ＩＣカード２０をリーダライタ装置１４に挿入する（Ｓ１）。制御部１８からＩＣカード２０内のＲＯＭに記録された制御プログラムに初期化フォーマットの指令が発せられる（Ｓ２）。該制御プログラムの作動によりＩＣカード２０内の消去履歴記録作成情報（図４参照）が呼び出され、初期化フォーマット制御プログラムが消去済みか未消去かを判断し、消去済みであれば初期化フォーマット制御プログラムは動作せずにそのまま終了し、未消去であればＳ４へ進む（Ｓ３）。ＩＣカード２０内のＥＥＰＲＯＭに記録された初期化フォーマット制御プログラムが起動する（Ｓ４）。ＩＣカード２０の初期化フォーマットが完了（Ｓ５）したとき、ＲＯＭの制御プログラムが起動し、ＥＥＰＲＯＭに記録された初期化フォーマット制御プログラムが消去され、消去履歴記録作成情報が追加記憶される（Ｓ６）。
【００３４】
図６は本発明に係るＩＣカードの一例である従業者証をＩＣカードで作成したもので、その積層構造を示す図である。
【００３５】
このＩＣカード２０の一例である従業者証２０ａではＩＤ番号を記載する領域ＩＤ、及び氏名、発行日を記載する領域の他に顔画像形成領域Ｐが割り当てられ、当該従業者証２０ａの発行要求者の顔画像が形成される。この顔画像及び画像表示情報を保護するように、そのカード表面が保護シート５１によって覆われている。つまり、図６に示す従業者証２０ａは上層の保護シート５１及び中層の接着部材２０２Ａ、２０２Ｂを除いて大きく分けると裏面シート２０１と、電子部品２０４と、表面シート２０５の３層構造を有している。従業者証２０ａの最下層には基板用の部材としての厚さが１００μｍ程度の裏面シート２０１が設けられる。裏面シート２０１は５０μｍ〜３００μｍ程度のシート厚が好ましい。裏面シート２０１はペンで書ける、図示しない筆記層６２を更に有している。
【００３６】
この例で裏面シート２０１上にはカード用の電子部品２０４が設けられる。電子部品２０４は当該従業者証２０ａの利用者に関した個人識別番号ＩＤや、顔画像データＤ１、文字情報Ｄ２などを電気的に記録するＩＣチップ２０４Ａ及びそのＩＣチップ２０４Ａに接続されたコイル状のアンテナ体２０４Ｂである。ＩＣチップ２０４Ａには当該ＩＣチップの製造番号情報を記録しているが、このＩＣチップ２０４Ａの製造番号情報と共に、発行要求者の個人識別番号ＩＤを付加して情報管理するようにしてもよく、従業者証２０ａの偽造変造を防止することが可能である。
【００３７】
例えば、従業者証２０ａの初回発行時にチップユニーク番号等のタグを電子情報に付加して記録し、更新時等に、従業者証２０ａから読み出したチップユニーク番号等のタグと、新たに従業者証２０ａに書き込むべき電子情報のチップユニーク番号等を照合した後に、ＩＣカード２０と情報書込み読出し部等との間で書き込みを行うようにしてもよい。追加情報や記載変更事項などの書込みを整合性及び信頼性良く行うことができる。
【００３８】
この電子部品２０４上には表面用の部材としての厚さ１００μｍ程度の表面シート２０５が設けられ、その電子部品２０４が封入されている。この例では、少なくとも、裏面シート２０１と表面シート２０５と電子部品２０４とを薄シート状の接着部材（以下単に接着シートという）２０２Ａ、２０２Ｂを介在して貼り合せた積層構造を有している。
【００３９】
例えば、厚み５０μｍ〜３００μｍ程度の第１の接着シート２０２ＡによってＩＣチップ２０４Ａの裏面と裏面シート２０１との間が貼合され、ＩＣチップ２０４Ａの表面と表面シート２０５の間は、厚み５０μｍ〜３００μｍ程度の第２の接着シート２０２Ｂによって貼合されている。これらの接着シート２０２Ａ、２０２Ｂにはホットメルト樹脂又は反応型ホットメルト樹脂を予め薄シート状に形成したものが使用される。
【００４０】
【発明の効果】
ＩＤカード内に収録された初期化フォーマット制御プログラムを、初期化フォーマットが完了したときに消去することより、容量が制限されるＩＤカードの記憶媒体内に十分な多機能性を発揮できるだけの十分なデータを収録し、多種多様な命令にも対応できる十分な量のプログラムも内蔵することの可能なＩＤカード、該ＩＤカードを発行する装置であるＩＤカード発行装置、及び該ＩＤカードを発行する方法を示すＩＤカード発行方法を提供することができる。
【図面の簡単な説明】
【図１】本発明の実施の形態に係るＩＣカード発行装置のハードウェア構成を概略的に示す図である。
【図２】本発明に係るＩＣカード発行装置の一実施形態としての従業者証発行装置の構成例を示す概念図である。
【図３】本発明に係るＩＣカードをリーダライタ装置に接続した状態を示すブロック図である。
【図４】本発明の実施の形態に係るＩＣカードフォーマットの初期化の前後におけるＥＥＰＲＯＭに記録された情報の内訳を示す模式図である。
【図５】本発明の実施の形態に係るＩＣカードの初期化フォーマットを実施する際のフローチャートである。
【図６】本発明に係るＩＣカードの一例である従業者証をＩＣカードで作成したもので、その積層構造を示す図である。
【符号の説明】
１０  ＩＣカード発行装置
１００  従業者証発行装置
１２  入力部
１３  表示部
１４  リーダライタ装置
１８  制御部
１８１  記憶部
２０  ＩＣカード（ＩＤカード）
２０ａ  従業者証
６６  プリンタ
９０  コンピュータ
【図１】
2004178373.tif 000003
【図２】
2004178373.tif 000004
【図３】
2004178373.tif 000005
【図４】
2004178373.tif 000006
【図５】
2004178373.tif 000007
【図６】
2004178373.tif 000008